(57)【要約】【課題】利用者が繰り返し画像を観察して楽しむことのでき、利用者が子供であっても安心して使用でき、また、広告宣伝用の媒体としても安価に作製することができる光学媒体を提供する。【解決手段】  光を点状に透過可能な基材と、所定位置にフーリエ変換レンズが設けられたフィルム基材とを重ねることで、光源から照射された光により前記フーリエ変換レンズに形成されている画像を観察することができる光学媒体において、前記基材と前記フィルム基材とが別々に構成され、前記各々の基材の端部で、金属、プラスチックもしくは紐によりリング状に繋がれてなり、前記画像を観察する際に前記基材と前記フィルム基材とを重ねて使用することを特徴とする。【選択図】        図1
2007041173.tif 000002
【特許請求の範囲】
【請求項１】
光を点状に透過可能な基材と、所定位置にフーリエ変換レンズが設けられたフィルム基材とを重ねることで、光源から照射された光により前記フーリエ変換レンズに形成されている画像を観察することができる光学媒体において、
前記基材と前記フィルム基材とが別々に構成され、前記各々の基材の端部で、金属、プラスチックもしくは紐によりリング状に繋がれてなり、前記画像を観察する際に前記基材と前記フィルム基材とを重ねて使用することを特徴とする光学媒体。
【請求項２】
光を点状に透過可能な基材と、所定位置にフーリエ変換レンズが設けられたフィルム基材とを重ねることで、光源から照射された光により前記フーリエ変換レンズに形成されている画像を観察することができる光学媒体において、
前記基材と前記フィルム基材との四隅部分が丸型加工されていることを特徴とする光学媒体。
【請求項３】
光を点状に透過可能な基材と、所定位置にフーリエ変換レンズが設けられたフィルム基材とを重ねることで、光源から照射された光により前記フーリエ変換レンズに形成されている画像を観察することができる光学媒体において、
前記基材と前記フィルム基材とが、厚み８０〜２０００μｍであり、また保形性を有することを特徴とする光学媒体。
【発明の詳細な説明】
【技術分野】
【０００１】
本発明は、フーリエ変換レンズを用いて光学画像を見ることができる光学媒体に関するものである。
【背景技術】
【０００２】
従来、各種プレミアム製品やポストカードなどが広告宣伝媒体として利用され、近年、特に新製品の販促、イベントなどに用いるツールとしても、重要なアイテムになっている。
このようなツールはすぐに飽きられる傾向があり、新規な意匠性、意外性が楽しめ、かつ、販促活動に寄与するものが求められている。
例えば、レンティキュラレンズを組み込んだ画像付きポストカードが提案されている。（例えば、特許文献１参照）
しかしながら、レンティキュラレンズを組み込んだ画像付きポストカードでは、投影写真を複数用意しなければならず、またその数に合わせた複雑なレンズを形成しなければならずコストがかかるという問題がある。
【０００３】
また、従来からの広告宣伝媒体としては、種々のものが開発され、提案されている。
例えば、新聞、雑誌等に広告欄を設け、ここに広告宣伝したい商品の商品名、商標名、製造者、販売者、商品説明事項等の商品表示にかかる文字、図形、記号、絵柄等からなる印刷画像表示を形成し、その商品の広告宣伝を行っている。
あるいは、商品に関するチラシ、カタログ等を作製し、これを不特定多数の人に配布し、そこに掲載されている商品を広く知らせて、人々の関心を引いて広告宣伝を行う場合もある。
更に、例えば、街頭のネオンサイン等を利用し、主に、視覚を通して商品を広告宣伝する場合、更には、ラジオ、街頭放送等を利用し、主に、音声を通して商品を広告宣伝する場合、あるいは、テレビ等を利用し、主に、音声と映像等を通して商品を広告宣伝する場合等もある。
【０００４】
しかしながら、上記のような広告宣伝媒体による広告宣伝は、不特定多数の人に向かって商品を広告宣伝するものであり、通常、一人一人は、それを見ても、また、それを聴いても、広告宣伝する商品について、それ程関心を引くものではないものである。
ましてや、人は、近年、広告宣伝による喧騒、騒々しさ等に嫌悪感を持ち、かつ、辟易しており、それほどに関心のない商品には、見たり、聴いたりすることを避け、チラシ、カタログ等に至っては、見ないで、そのまま捨ててしまい、その商品の広告宣伝に振り向かないのが実状であり広告宣伝効果が期待できないという問題がある。
【０００５】
また、光学画像を見ることができる光学媒体も、広告宣伝や、新製品の販売販促などを行なう際に用いられる販売促進用媒体や、玩具などとしても用いられている。
これらの光学媒体としては、例えばフーリエ変換レンズを利用して、予めレンズに形成しておいた種々の光学画像を、光の照射などにより目視可能に映し出し、利用者が観察して楽しめるようにしてある。（例えば、特許文献２参照）
【０００６】
従来のフーリエ変換レンズを利用した光学媒体においては、フーリエ変換レンズに形成されている光学画像を目視で観察する際に、利用者が目で観察する側と反対方向から点光源の光をフーリエ変換レンズに対して照射する必要がある。
このような点光源としては、例えば、太陽、ろうそく、スポットライト、花火などが適応できるが、光学画像を観察する際に、太陽に向かってフーリエ変換レンズをかざして目視した場合には、光線が強すぎて目を傷める危険性がある。
特に、子供への配布用としてフーリエ変換レンズを用いた媒体を利用する場合には、子供が太陽に向かってフーリエ変換レンズをかざさないように注意する内容の注意書きなどを印刷するなどして、事故を未然に防ぐような対策を図ることが必要である。
【０００７】
しかしながら、子供が、これらの注意書きに気が付かなかったり、文字が正確に読めなかったり、また、いたずら半分などで、フーリエ変換レンズを太陽に向かってかざして使用することも十分に考えられ、使用者が不適切な使用を行なう危険性があるという問題がある。
【０００８】
また、消費者の興味を引くために、フーリエ変換レンズを用いた珍しい光学媒体を販売促進用として使用すると効果的であるが、フーリエ変換レンズが形成されたシートと、広告宣伝用の情報を印刷したシートとを貼りあわせるなどの加工を行なわなければならず、手間やコストがかかり、気軽にフーリエ変換レンズを利用した媒体を広告宣伝用として用いることができないという問題がある。
【０００９】
【特許文献１】特開２００１−１６６４０２号公報
【特許文献２】特開２００４−７７５４８号公報
【発明の開示】
【発明が解決しようとする課題】
【００１０】
そこで、本発明は、利用者が繰り返し画像を観察して楽しむことのでき、利用者が子供であっても安心して使用でき、また、広告宣伝用の媒体としても安価に作製することができる光学媒体を提供する。
【課題を解決するための手段】
【００１１】
本発明の光学媒体は、光を点状に透過可能な基材と、所定位置にフーリエ変換レンズが設けられたフィルム基材とを重ねることで、光源から照射された光により前記フーリエ変換レンズに形成されている画像を観察することができる光学媒体において、前記基材と前記フィルム基材とが別々に構成され、前記各々の基材の端部で、金属、プラスチックもしくは紐によりリング状に繋がれてなり、前記画像を観察する際に前記基材と前記フィルム基材とを重ねて使用することを特徴とする。
【００１２】
また、本発明の光学媒体は、光を点状に透過可能な基材と、所定位置にフーリエ変換レンズが設けられたフィルム基材とを重ねることで、光源から照射された光により前記フーリエ変換レンズに形成されている画像を観察することができる光学媒体において、前記基材と前記フィルム基材との四隅部分が丸型加工されていることを特徴とする。
【００１３】
更に、本発明の光学媒体は、光を点状に透過可能な基材と、所定位置にフーリエ変換レンズが設けられたフィルム基材とを重ねることで、光源から照射された光により前記フーリエ変換レンズに形成されている画像を観察することができる光学媒体において、前記基材と前記フィルム基材とが、厚み８０〜２０００μｍであり、また保形性を有することを特徴とする。
【発明の効果】
【００１４】
本発明の光学媒体は、フーリエ変換レンズに形成されている画像を観察する際に、基材とフィルム基材とを重ねて使用するので、利用者が繰り返し画像を観察して楽しむことのでき、利用者が子供であっても安心して使用でき、また、広告宣伝用の媒体としても安価に作製することができるという効果がある。
【００１５】
本発明の光学媒体は、基材と前記フィルム基材との四隅部分が丸型加工されているので、利用者が子供であっても安心して使用できるという効果がある。。
【００１６】
本発明の光学媒体は、基材と前記フィルム基材とが、厚み８０〜２０００μｍであり、また保形性を有しているので、利用者が繰り返し画像を観察して楽しむことのできるという効果がある。
【発明を実施するための最良の形態】
【００１７】
以下、本発明の実施形態に係る光学媒体を図面に基づいて詳細に説明する。
図１は、本発明の実施形態にかかる光学媒体の斜視図、図２は、本発明の実施形態にかかる光学媒体のフィルム基材と点光源を有する基材とを重ね合わせた状態の断面図、図３は、本発明の光学媒体を用いた光学画像の観察方法を説明する説明図、図４は、フーリエ変換レンズの原理を説明する説明図、図５は、２Ｐ法を説明する概念図、図６は、複製されたフーリエ変換レンズの断面図である。
【００１８】
図１に示すように、本発明の実施形態にかかる光学媒体１は、光源から照射されている光を点状に透過できる光透過部２が複数設けられている基材３と、所定位置に観察用の画像が形成されているフーリエ変換レンズ４が設けられているフィルム基材５とが、個別に構成されている。
また、この光透過部２が複数設けられている基材３とフィルム基材５の外形は、同一形状を有しており、それぞれ上下方向に重ね合わせた場合でも、縦横左右の幅方向においてはみ出す部分がないように、外形が同一寸法として構成されている。
【００１９】
基材３に形成されている光透過部２は、点状に光が透過できるように形成された微細孔が複数形成されていることで、光源から照射された光を、微細孔を通過させることで、フーリエ変換レンズに対して点状の光が照射されるようにしてある。
光透過部２は、点状に光が透過し、フーリエ変換レンズに対して点状の光が照射されればよいので、微細孔以外であってもよく、例えば、基材３の少なくとも一方の面に全べたで濃色、特に黒色で印刷を施して不透明化にし、べた印刷面の所定部分に点状に光が透過できるような透視部を設けるようにしてもよい。
小孔面を黒色で印刷することにより、光反射が少なくなり、より鮮明な点状の光源が得られる。
【００２０】
フーリエ変換レンズ４には、所定の条件により、フーリエ変換レンズに光学画像が観察できるように凹凸形状が施されている。
図１の示した例では、フーリエ変換レンズ４は、フィルム基材５に２箇所設けられているが、２箇所に限定されるものではなく所定の領域に設けたり、また全面に設けてもよい。
また、光透過部２が複数設けられている基材３において、光透過部２の形成領域は、フーリエ変換レンズのフィルム基材５と、この基材３とを重ね合わせた際に、フーリエ変換レンズ４と光透過部２の形成領域とが重なる位置に設けられている。
【００２１】
フーリエ変換レンズのフィルム基材５は、該フーリエ変換レンズを透して点光源を観察した時に、所望の光学画像が観察されるような微細な凹凸が形成されたものであり、フーリエ変換レンズだけでは、例えば太陽、蛍光灯等の電灯、ろうそく、スポットライト、花火などの点光源を利用しないと光学画像を観察することができない。
しかしながら、本発明の光学媒体は、基材３の光透過部２により光を点状に絞り込むので、点光源を利用しないでも、光学画像を観察することができるという特徴がある。
【００２２】
また、基材３とフィルム基材５の四隅部分は、丸型加工され、利用者が光学媒体１を所持したり利用したりする際に角部分でケガをすることがないように加工されている。
また、基材３とフィルム基材５とは、厚みが８０〜２０００μｍであり、また保形性を有している
【００２３】
更に、光透過部２が複数設けられている基材３と、フィルム基材５との一側端には、それぞれ貫通孔６，７が形成され、これらの貫通孔６，７は、基材３とフィルム基材５とを重ね合わせた状態とした場合に重なり合う位置に設けられている。
また、本発明の光学媒体１は、この基材３とフィルム基材５とに形成されているそれぞれの貫通孔６，７に、紐８が通されてリング状に繋がれた状態を有している。
各々の貫通孔６，７を通してリング状に繋ぐ部材としては、紐８の他に、金属、プラスチックなどを用いてもよく、基材３とフィルム基材５とがリング状に繋がれた状態で所持できるように構成されている。
【００２４】
次に、本発明の光学媒体１を用いて光学画像を観察する方法について説明する。
利用者が、光学媒体１を用いて光学媒体１に形成されている画像を観察する際には、まず図２に示すように、基材３とフィルム基材５とを重ねた状態にして使用する。
そして、図３に示すように、光透過部２が複数設けられている基材３を重ね合わせた方向から照射される光９を、光透過部２を通してフーリエ変換レンズを有するフィルム基材５側から目１０で見ることで、フーリエ変換レンズ４に形成されている光学画像１１を観察するものである。
【００２５】
本発明の光学媒体１を用いて光学画像の観察方法では、光学画像が形成されたフーリエ変換レンズ４を有するフィルム基材５と、光を点状に透過できる光透過部２が複数設けられている基材３とを、フーリエ変換レンズ４に形成されている光学画像を観察する際に、フィルム基材５と基材３とを重ね合わせることで、点光源がなくても、フーリエ変換レンズ４に対して点光源から光が照射されたのと同様の状態にすることができるので、従来のように点光源を用意する必要がない。
【００２６】
図４は、フーリエ変換レンズの原理を説明する説明図である。
（フーリエ変換）
図４（Ａ）は目視を説明する図で、所望の画像２０を、レンズ２１を介して、人間の目２３で観察すると観察像２４が観察される。
図４（Ｂ）では、点光源２５をフーリエ変換面２２へ設置したフーリエ変換レンズ２６を透して、人間の目２７で目視すると、フーリエ変換レンズ２６の凹凸形状に応じた光学画像２７が観察される。
例えば、フーリエ変換レンズフィルムへ、図７（Ｂ）のように星型画像を再生するような凹凸形状を設けておけば、星型の光学画像２７が観察される。
【００２７】
（フーリエ変換レンズフィルム）
フーリエ変換レンズを有するフィルム基材５の形成方法としては、公知の方法でよく、まず、所望の画像に対応する原版を作成する。
所望の画像を決めた後に、該画像のデータを作成し、フーリエ変換面の位置などから、フーリエ変換データを計算し、該フーリエ変換データを２値化し、さらに電子線描画用の矩形データへ変換する。
該矩形データを、半導体回路マスクなどを描画する電子線描画装置で、ガラス板へ塗布されたレジスト面へ描画すればよい。
【００２８】
該ガラス原版を用いて、大量複製してフーリエ変換レンズを有するフィルム基材５とする。
この複製方法としては、公知の２Ｐ法、射出成形法、ゾルゲル法などが適用できる。
（２Ｐ法）
２Ｐ法（ＰｈｏｔｏＰｏｌｙｍｅｒｉｚａｔｉｏｎ法）は、原版に、電離放射線硬化樹脂を塗布し、電離放射線を照射して硬化させて後に、剥がす方法で作製する。
２Ｐ法は、一般に、基材上に凹凸レリーフを形成する有効な方法として知られ、公知の光学部品などの複製でも使用されている。
【００２９】
図５は、２Ｐ法を説明する概念図である。
図５は、複製された本発明のフーリエレンズの断面図である。
２Ｐ法は、概略の工程を図５で図示するように、図５（Ａ）は凹凸状レリーフの形成された原版で、図５（Ｂ）に示すように電離放射線硬化性樹脂組成物５３Ａを滴下し、図５（Ｃ）、図５（Ｄ）に示すように、その上へ複製基材５５を積置し、押圧する。
次いで、図５（Ｅ）に示すような状態で、原版５１又は複製基材５５側から紫外線等の電離性放射線を照射して、電離放射線硬化性樹脂組成物５３Ａを硬化させる。
図５（Ｆ）に示すように、硬化して一体化した電離放射線硬化樹脂５３Ｂと基材５５とを、原版５１側から剥離することで、複製物（子）５０が得られる。
また、この２Ｐ法の操作を繰り返すことで、複数の複製物が得られる。
図５に図示する凹凸状レリーフの形成は、説明しやすくするために、矩形の凹凸形状で示している。
該凹凸形状は、２値化、４値化して、図６のように階段状としてもよい。
【００３０】
（基材）
複製原版の基材５５としては、透明なものであればよく、具体的には、ガラス版、透明なプラスチックフィルムやシートなどが適用できる。
ガラスは割れる恐れがあるために、透明なプラスチックフィルムやシートが好ましい。透明なプラスチックとしては、ポリカーボネート、ポリエチレンテレフタレートが好ましく、複屈折性からポリカーボネートが最適である。
その厚さは取扱い性の点から、０．０５〜５ｍｍ程度、好ましくは０．１〜３ｍｍである。
【００３１】
（電離放射線硬化樹脂層）
原版の凹凸レリーフが賦形される電離放射線硬化樹脂層５３Ｂは、電離放射線硬化性樹脂組成物５３Ａへ、電離放射線を照射して硬化させる。
電離放射線としては電磁波が有する量子エネルギーで区分する場合もあるが、本明細書では、すべての紫外線（ＵＶ‐Ａ、ＵＶ‐Ｂ、ＵＶ‐Ｃ）、可視光線、ガンマー線、Ｘ線、電子線を包含するものと定義する。
従って、電離放射線としては、紫外線（ＵＶ）、可視光線、ガンマー線、Ｘ線、または電子線などが適用できるが、紫外線、電子線が好適である。
電離放射線で硬化する電離放射線硬化性樹脂組成物５３Ａとしては、電離放射線硬化性樹脂（前駆体）へ、紫外線硬化の場合は光重合開始剤、及び／又は光重合促進剤を添加したもので、エネルギーの高い電子線硬化の場合は添加しないでもよい。
また、適正な触媒が存在すれば、熱エネルギーでも硬化できる。
【００３２】
該電離放射線硬化樹脂層５３Ｂは、電離放射線硬化性樹脂組成物５３Ａが電離放射線で硬化したもので、該電離放射線硬化性樹脂組成物５３Ａへは、電離放射線で重合（硬化ともいう）反応する少なくとも１つの、官能基を有する硬化性成分を含有させれば良い。
該硬化性成分としては、ラジカル重合性不飽和二重結合を有する化合物が適用でき、１官能モノマー、２官能以上の多官能モノマー、官能オリゴマー、官能ポリマーなどがある。
また、電離放射線で重合（硬化ともいう）する官能基としては、アクリロイル基、メタクリロイル基、アリル基、またはエポキシ基である。
【００３３】
１官能モノマーとしては、例えば、アクリル酸、アクリル酸メチル、アクリル酸エチルなどの（メタ）アクリル酸又はそのアルキル若しくはアリールエステル、スチレン、メチルスチレン、スチレンアクリロニトリル、ｎ‐ビニルピロリドンなどが適用できる。
また、本明細書においては、（メタ）アクリル酸とは、アクリル酸もしくはメタクリル酸を意味する。
（メタ）アクリレートとは、アクリレートもしくはメタクリレートを意味し、同様の表記はこれに準ずる。
【００３４】
２官能モノマーとしては、例えば、１，６‐ヘキサンジオールアクリレート（ＨＤＤＡ）、ヘキサメチレンジアクリレート、ジエチレングリコールジアクリレート（ＤＥＧＤＡ）などが適用できる。
多官能モノマーとしては、エチレングリコール、グリセリン、ペンタエリスルトール、エポキシ樹脂等の２官能以上の化合物に（メタ）アクリル酸又はその誘導体を反応させて得られる２官能以上の（メタ）アクリロイルモノマーなどが適用でき、例えば、トリメチロールプロパンアクリレート（ＴＭＰＴＡ）、ペンタエリスリトールトリアクリレート（ＰＥＴＡ）などが例示できる。
【００３５】
官能オリゴマー（プレポリマーとも呼ばれる）としては、分子量（重量平均）が約３００〜５０００程度で、分子内中に（メタ）アクリロイル基、メタクリロイル基、アリル基、またはエポキシ基などのラジカル重合性二重結合を有するポリウレタン系、ポリエステル系、ポリエーテル系、ポリカーボネート系、ポリ（メタ）アクリル酸エステル系が適用でき、例えば、ウレタン（メタ）アクリレート、イソシアヌレート（メタ）アクリレート、ポリエステル（メタ）アクリレートなどが例示できる。
【００３６】
官能ポリマーとしては、分子量（重量平均）が約１０００〜３０万程度で、アクリロイル基、メタクリロイル基、アリル基、またはエポキシ基などのラジカル重合性二重結合を有するウレタン（メタ）アクリレート、イソシアヌレート（メタ）アクリレート、ポリエステル‐ウレタン（メタ）アクリレート、エポキシ（メタ）アクリレートが適用できる。
【００３７】
以上に説明した硬化性のモノマー、および／またはオリゴマー、および／またはポリマーを、電離放射線硬化性樹脂組成物５３Ａへ含有させれば良い。
これらの硬化性成分を、例えば、電離放射線硬化性樹脂（前駆体）に対して、５質量％以上、好ましくは１０〜９０質量％、更に好ましくは、２０〜８０質量％含有させることによって、電離放射線硬化性が付与される。
【００３８】
また、電離放射線硬化性樹脂（前駆体）へ、少なくとも１種のモノマーを含有させ、さらに、反応性希釈剤と呼ばれるモノマーを含ませても良い。該モノマーは、（メタ）アクリロイル基、メタクリロイル基、アリル基、またはエポキシ基などを有する１官能反応性希釈剤である。
ここで、反応性希釈剤は、トルエンなどの一般的な有機溶剤とは異なり、トルエンなどの一般的な有機溶剤などの溶剤を含有していないことを意味する。
通常、電離放射線硬化性樹脂組成物は粘度が高く、有機溶剤で粘度を下げるように調整しないと、塗布することができない。
しかし、該モノマーを電離放射線硬化性樹脂（前駆体）へ含有させると粘度が下がり、溶剤を用いる必要がなくなり、ノンソルベント（無溶剤）で使用することができる。
また、オリゴマーも、同様の効果がある。
【００３９】
さらに、モノマー、オリゴマーは重合反応の速度を向上させ、また、オリゴマー、ポリマーは、硬化後の電離放射線硬化樹脂層５３Ｂの架橋密度、凝集力などを調整することができる。
このために、電離放射線硬化性樹脂（前駆体）へは、モノマー、および／またはオリゴマー、および／またはポリマーを用いることが好ましい。
さらに、好ましくはそれらを併用して、適宜、配合比を変えて、用途や目的に合わせた電離放射線硬化樹脂層５３Ｂの性能とする。
さらに、電離放射線硬化性樹脂（前駆体）には、必要に応じて、重合禁止剤、老化防止剤などの添加剤を加えてもよい。該電離放射線硬化樹脂層５３Ｂには、必要に応じて、可塑剤、滑剤、染料や顔料などの着色剤、増量やブロッキング防止などの体質顔料や樹脂などの充填剤、界面活性剤、消泡剤、レベリング剤、チクソトロピー性付与剤等の添加剤を、適宜加えても良い。
【００４０】
電子線照射は、電子線加速器により発生させた電子線を照射する。
電子線照射装置としては、たとえば、コックロフトワルトン型、バンデグラフ型、共振変圧器型、絶縁コア変圧器型、あるいは直線型、ダイナミトロン型、高周波型などの各種電子線加速器などを用いて、エクレトロンカーテン方式、ビームスキャニング方式などで、電子線を照射する。
好ましくは、線状のフィラメントからカーテン状に均一な電子線を照射できる装置「エレクトロカーテン」（商品名）である。
電子線の照射量は、通常１００〜１０００ｋｅＶ、好ましくは１００〜３００ｋｅＶのエネルギーを持つ電子を、０．５〜２０Ｍｒａｄ程度の照射量で照射する。
照射量が０．５Ｍｒａｄ未満の場合、未反応モノマーが残留して硬化が不十分となる恐れがあり、また、照射量が２０Ｍｒａｄを超えると、架橋密度が高くなり硬化したバインダ、若しくは基材が、損傷を受ける恐れがある。
また、硬化の際の雰囲気は、酸素濃度５００ｐｐｍ以下で行われ、通常は２００ｐｐｍ程度で行うのが好ましい。
【００４１】
（光重合開始剤）
紫外線照射は、電離放射線硬化性樹脂組成物に光重合開始剤、例えば、アセトフェノン類、ベンゾフェノン類、ミヒラーベンゾイルベンゾエート、αーアミロキシムエステル、テトラメチルメウラムモノサルファイド、チオキサントン類などの光重合開始剤と、必要に応じて光増感剤、例えば、ｎ-ブチルアミン、トリエチルアミン、トリーｎーブチルホスフィンなどを添加する。
紫外線硬化に用いる紫外線（ＵＶ）ランプは、高圧水銀ランプ、メタルハライドランプが適用でき、紫外線の波長は２００〜４００ｎｍ程度で、接着剤組成物に応じて波長を選択すれば良い。
その照射量は、組成物の材質や量と、ＵＶランプの出力と、加工速度に応じて照射すれば良い。
【００４２】
このように複製したフーリエ変換レンズを有するフィルム基材５は、そのまま用いても機能を発揮するが、紙基材１３への取付性又は単独での取扱い性から、周辺を厚板紙で補強してもよい。
さらに、凹凸面に水、汗、油などの液体が付着するとフーリエ変換レンズの効果が減ずるので、凹凸面へ保護層又は保護フィルムを設けてもよい。
【図面の簡単な説明】
【００４３】
【図１】本発明の実施形態にかかる光学媒体の斜視図である。
【図２】本発明の実施形態にかかる光学媒体のフィルム基材と点光源を有する基材とを重ね合わせた状態の断面図である。
【図３】本発明の光学媒体を用いた光学画像の観察方法を説明する説明図である。
【図４】フーリエ変換レンズの原理を説明する説明図である。
【図５】２Ｐ法を説明する概念図である。
【図６】複製されたフーリエ変換レンズの断面図である。
【符号の説明】
【００４４】
１  光学媒体
２  光透過部
３  基材
４  フーリエ変換レンズ
５  フィルム基材
６，７  貫通孔
８  紐
９  光
１０  目
１１  光学画像
２０  画像
２１  レンズ
２４  観察像
２５  点光源
５０  複製物
５１  原版
５３Ａ  電離放射線硬化性樹脂組成物
５３Ｂ  電離放射線硬化樹脂
５５  複製基材
【図１】
2007041173.tif 000003
【図２】
2007041173.tif 000004
【図３】
2007041173.tif 000005
【図４】
2007041173.tif 000006
【図５】
2007041173.tif 000007
【図６】
2007041173.tif 000008